(57)【要約】【課題】部品点数を多くすることなく且つ印刷回数をより少なくし、良好に赤外線リモートコントローラの赤外線を受光することができるようにすることを目的とする。【解決手段】透明又は半透明基板の赤外線リモートコントローラの受光部に対応する部分及び目隠し部分を可視光を透過せず赤外線を透過するインキで印刷したものである。【選択図】        図１
2004193792.tif 000002
【特許請求の範囲】
【請求項１】
透明又は半透明基板の赤外線リモートコントローラの受光部に対応する部分及び目隠し部分を可視光を透過せず赤外線を透過するインクで印刷したことを特徴とする前面パネル。
【請求項２】
透明又は半透明基板の赤外線リモートコントローラの受光部に対応する部分を含むと共に蛍光表示管の表示部に対応する部分を除き、可視光を透過せず赤外線を透過するインキを印刷したことを特徴とする前面パネル。
【請求項３】
請求項２記載の前面パネルにおいて、
前記半透明基板がブルーのアクリル基板であることを特徴とする前面パネル。
【請求項４】
赤外線リモートコントローラの受光部を有する電子機器において、透明又は半透明基板の前記受光部に対応する部分及び目隠し部分に可視光を透過せず赤外線を透過するインキで印刷した前面パネルを設けたことを特徴とする電子機器。
【請求項５】
赤外線リモートコントローラの受光部及び表示用の蛍光表示管を有する電子機器において、
透明又は半透明基板の前記受光部に対応する部分を含むと共に前記蛍光表示管の表示部に対応する部分を除き可視光を透過せず赤外線を透過するインキを印刷した前面パネルを設けたことを特徴とする電子機器。
【発明の詳細な説明】
【０００１】
【発明の属する技術分野】
本発明は赤外線リモートコントローラにより遠隔制御するようにした電子機器及び斯る電子機器に適用される前面パネルに関する。
【０００２】
【従来の技術】
一般にミニディスクデッキ等の電子機器は赤外線リモートコントローラにより遠隔制御できる如くなされており、この赤外線リモートコントローラの赤外線の受光部は、前面パネルの内側に設けられると共にこの前面パネルの内側に種々の表示を行う表示部を有する蛍光表示管が設けられている。
【０００３】
図３Ａは従来のミニディスクデッキの前面パネル１を示し、素材基板として半透明のブルーのアクリル基板１ａを用いる。この前面パネル１としては、このブルーのアクリル基板１ａに図３Ｂに示す如く印刷を行う。
【０００４】
この図３Ａの前面パネル１の１ｂは赤外線リモートコントローラの受光部に対応する部分を示し、１ｃは蛍光表示管の表示部に対応する部分を示し、１ｄは文字部分を示し、１ｅはこのアクリル基板１ａの目隠し部分を示す。
【０００５】
この前面パネル１を印刷するのにこのブルーのアクリル基板１ａに先ず図３Ｂ及び図３Ｃに示す如く文字部分１ｄをシルバー印刷２ａにより印刷する。次に図３Ｂ及び図３Ｄに示す如く、赤外線リモートコントローラの受光部に対応した部分１ｂを赤外線透過インキ２ｂで印刷すると共に蛍光表示管の表示部に対応する部分１ｃをワインカラーのインキ２ｃで印刷する。
【０００６】
次に図３Ｂ及び図３Ｅに示す如く、文字部分１ｄ、受光部に対応した部分１ｂ及び表示部に対応した部分１ｃを除いたこのアクリル基板１ａの目隠し部分１ｅに目隠しする如く黒インキ２ｄで印刷する。その後、図３Ｂに示す如く文字部分１ｄに光拡散するためのメジウム印刷を行いオレンジ色の発光ダイオードの光がむらなく光る如くしている。
【０００７】
また従来、特許文献１に赤外線リモートコントロールの受光部に違和感を与えず、照明器具等の影響を受けず赤外線の信号を確実に受光するため、可視光遮光フィルタと赤外線透過フィルタとを積層し、この受光部の前方に配置するようにした前面パネルが提案されている。
【０００８】
【特許文献１】
特開平１１−１６３７８９号公報
【０００９】
【発明が解決しようとする課題】
然しながら、従来の前面パネル１の印刷は受光部に対応する部分１ｂに赤外線透過インキ２ｂを印刷すると共に目隠し用の黒インキ２ｄを印刷するようにしているので印刷工程が多く、それだけ手間がかかりコスト高となる不都合があった。
【００１０】
また特許文献１の如く可視光遮光フィルタと赤外線透過フィルタとを積層し、この受光部の前方に配置するようにしたときには、それだけ部品点数が多くコスト高となる不都合があった。
【００１１】
本発明は斯る点に鑑み、部品点数を多くすることなく、且つ印刷回数をより少なくし、良好に赤外線リモートコントローラの赤外線を受光することができるようにすることを目的とする。
【００１２】
【課題を解決するための手段】
本発明前面パネルは、透明又は半透明基板の赤外線リモートコントローラの受光部に対応する部分及び目隠し部分を可視光を透過せず赤外線を透過するインキで印刷したものである。
【００１３】
このインキは可視光を透過しないので前面パネルの目隠し部分の目隠しをすることができ、従来に比し目隠し部分の黒インキの印刷を省略することができる。
【００１４】
またこのインキは可視光を透過せず赤外線を透過するので、受光部は赤外線の信号を照明器具等の影響を受けず確実に受光することができる。
【００１５】
また本発明電子機器は赤外線リモートコントローラの受光部を有する電子機器において、透明又は半透明基板のこの受光部に対応する部分及び目隠し部分に可視光を透過せず赤外線を透過するインキで印刷した前面パネルを設けたものである。
【００１６】
斯る本発明によれば、前面パネルの受光部に対応する部分及び目隠し部分に可視光を透過せず赤外線を透過するインキで印刷したので、前面パネルの目隠し部分の目隠しをすることができると共に前面パネルの受光部に対応する部分は赤外線を透過し、可視光を透過しないので、この受光部は赤外線の信号を照明器具等の影響を受けず確実に受光することができる。
【００１７】
【発明の実施の形態】
以下、図１、図２を参照して本発明前面パネル及び電子機器の実施の形態の例につき説明する。
【００１８】
図２は本例によるミニディスクデッキ１０の前面を示し、１１はこのミニディスクデッキ１０のミニディスク挿入口を示す。このミニディスクデッキ１０は赤外線リモートコントローラにより遠隔制御できる如くなされており、この赤外線リモートコントローラの赤外線の受光部は前面パネル１２の内側に設けられると共にこの前面パネル１２の内側に種々の表示を行う表示部を有する蛍光表示管が設けられている。
【００１９】
図１Ａは本例によるミニディスクデッキ１０の前面パネル１２を示し、この前面パネル１２の素材基板として半透明（透過率８２％）のブルーのアクリル基板１２ａを用いる。本例によるこの前面パネル１２としては、このブルーのアクリル基板１２ａに図１Ｂに示す如く、印刷を行う。
【００２０】
この図１Ａの前面パネル１２の１２ｂは赤外線リモートコントローラの受光部に対応する部分を示し、１２ｃは蛍光表示管の表示部に対応する部分を示し、１２ｄは文字部分を示し、１２ｅはこのアクリル基板１２ａの目隠し部分を示す。
【００２１】
本例の前面パネル１２を印刷するのにこのブルーのアクリル基板１２ａの裏面側に、先ず図１Ｂ及び図１Ｃに示す如く、文字部分１２ｄの文字を抜き、赤外線リモートコントローラの受光部に対応した部分１２ｂ及びこのアクリル基板１２ａの目隠し部分１２ｅに可視光を透過せず赤外線を透過するインキ１３ａを印刷する。
【００２２】
この可視光を透過せず赤外線を透過するインキ１３ａとしては例えば（株）セイコーアドバンス製のＳＧ７４０（Ｎ）−ＥＧ５５６  ＩＲ  ＢＬＵＥを使用した。
【００２３】
この可視光を透過せず赤外線を透過するインキ１３ａで印刷したときは、可視光を通さないので、このアクリル基板１２ａの目隠し部分１２ｅを目隠しすることができ、黒インクで印刷する必要がない。またこのインクは可視光を透過せず赤外線を透過するので、赤外線リモートコントローラの受光部に対応する部分１２ｂは赤外線の信号を照明器具等の影響を受けず確実に受光することができる。
【００２４】
またこのアクリル基板１２ａの文字部分１２ｄの文字は文字抜きしたので、この文字部分は光が透過する。
【００２５】
次に図１Ｂ及び図１Ｄに示す如くこのアクリル基板１２ａの受光表示管の表示部に対応する部分１２ｃをワインカラーのインキ１３ｂで裏面より印刷する。この蛍光表示管の表示部に対応する部分１２ｃをワインカラーのインク１３ｂで印刷したときには、蛍光表示管の表示及びアクリル基板１２ａがブルーなので、この蛍光表示管による機能表示文字、レベル、カウンタ等の表示は白で表示される。
【００２６】
その後、図１Ｂ及び図１Ｅに示す如くアクリル基板１２ａの文字抜きした文字部分１２ｄを裏面より光拡散するためのメジウム印刷１３ｃを行う。この場合、文字抜き部分に例えはオレンジ色の発光ダイオードの光がむらなく光る。
【００２７】
本例によればアクリル基板１２ａの赤外線リモートコントローラの受光部に対応する部分１２ｂ及び目隠し部分１２ｅを可視光を透過せず赤外線を透過するインキ１３ａで印刷したので、このインキ１３ａは可視光を透過しないので前面パネル１２の目隠し部分１２ｅの目隠しをすることができ、従来に比し、この目隠し部分の黒インキの印刷を省略でき、ローコスト化することができる。
【００２８】
またこの前面パネル１２の受光部に対応する部分は赤外線を透過し、可視光を透過しないので、この赤外線リモートコントローラの受光部は赤外線の信号を照明器具等の影響を受けず確実に受光することができる。
【００２９】
尚、上述例は本発明をミニディスクデッキに適用した例につき述べたが、本発明はその他の赤外線リモートコントローラの受光部を有する電子機器に適用できることは勿論である。
【００３０】
また上述例は前面パネル１２の素材基板として半透明のアクリル基板１２ａを用いた例につき述べたが、この代りに透明のアクリル基板、透明又は半透明のガラス板、透明又は半透明のその他の樹脂基板を使用できることは勿論である。
【００３１】
また、本発明は上述例に限らず本発明の要旨を逸脱することなくその他種々の構成が採り得ることは勿論である。
【００３２】
【発明の効果】
本発明によれば透明又は半透明基板の赤外線リモートコントローラの受光部に対応する部分及び目隠し部分を可視光を透過せず赤外線を透過するインキで印刷したので、このインキは可視光を透過しないので前面パネルの目隠し部分の目隠しをすることができ、従来に比し、この目隠し部分の黒インキの印刷を省略でき、ローコスト化することができる。
【００３３】
また本発明によれば、前面パネルの赤外線リモートコントローラの受光部に対応する部分は赤外線を透過し、可視光を透過しないので、この赤外線リモートコントローラの受光部は赤外線の信号を照明器具等の影響を受けず確実に受光することができる。
【図面の簡単な説明】
【図１】本発明前面パネルの実施の形態の例の説明に供する線図である。
【図２】本発明電子機器の実施の形態の例を示す前面図である。
【図３】従来の前面パネルの例の説明に供する線図である。
【符号の説明】
１０‥‥ミニディスクデッキ、１１‥‥ディスク挿入口、１２‥‥前面パネル、１２ａ‥‥アクリル基板、１２ｂ‥‥受光部の対応部分、１２ｃ‥‥表示部の対応部分、１２ｄ‥‥文字部分、１２ｅ‥‥目隠し部分、１３ａ‥‥可視光を透過せず赤外線を透過するインキ
【図１】
2004193792.tif 000003
【図２】
2004193792.tif 000004
【図３】
2004193792.tif 000005